(57)【要約】  システム又はデバイスは、被験者から取得された生体サンプルに、少なくとも１つの病原体が存在するか否かについて、医療施設から遠隔で前記生体サンプルを自動的に評価する評価モジュールと、現場から離れた場所の施設に送信するために、当該評価の第１結果を格納する電子メモリと、当該送信のために前記評価の第１結果が格納された後、当該評価の第２結果を前記被験者に報告する報告モジュールとを含む。
2014513308.tif 000002
【特許請求の範囲】
【請求項１】
被験者から取得された生体サンプルに、少なくとも１つの病原体が存在するか否かについて、医療施設から遠隔で前記生体サンプルを自動的に評価する評価モジュールと、
現場から離れた場所の施設に送信するために、当該評価の第１結果を格納する電子メモリと、
当該送信のために前記評価の第１結果が格納された後、当該評価の第２結果を前記被験者に報告する報告モジュールとを含むシステム。
【請求項２】
被験者から取得された生体サンプルに、少なくとも１つの病原体が存在するか否かについて、医療施設から遠隔で前記生体サンプルを自動的に評価することは、
前記生体サンプルに前記少なくとも１つの病原体が存在するか否かを示す、少なくとも１つの抗原または核酸が当該生体サンプルに存在するか否かについて、前記生体サンプルを評価することを含む請求項１に記載のシステム。
【請求項３】
被験者から取得された生体サンプルに、少なくとも１つの病原体が存在するか否かについて、医療施設から遠隔で前記生体サンプルを自動的に評価することは、
前記少なくとも１つの病原体に対する、少なくとも１つの抗体の免疫反応性が存在するか否かについて、前記生体サンプルを評価することを含む請求項１に記載のシステム。
【請求項４】
前記少なくとも１つの病原体に対する、少なくとも１つの抗体の免疫反応性が存在するか否かについて、前記生体サンプルを評価することは、
前記少なくとも１つの病原体に対する、前記少なくとも１つの抗体の免疫反応性が存在するか否かを判定するために、ラボ・オン・チップ、分析試料、側方流動試験紙、比色試験紙、側方流動比色試験紙、経皮的試験デバイス、および、ランセットのうちの少なくとも１つを利用することを含む請求項３に記載のシステム。
【請求項５】
前記ラボ・オン・チップ、分析試料、側方流動試験紙、比色試験紙、側方流動比色試験紙、経皮的試験デバイス、および、ランセットのうちの少なくとも１つは、固有の識別子を含む請求項４に記載のシステム。
【請求項６】
前記固有の識別子は、バーコード、ＲＦＩＤタグ、および、無線タグのうちの少なくとも１つを含む請求項５に記載のシステム。
【請求項７】
前記少なくとも１つの病原体は、ウイルス、寄生生物、細菌、菌、毒素、および、毒素産生病原体のうちの少なくとも１つを含む請求項１に記載のシステム。
【請求項８】
前記少なくとも１つの病原体は、インフルエンザＡウイルス、インフルエンザＡウイルスの亜種、インフルエンザＢウイルス、および、インフルエンザＣウイルスのうちの少なくとも１つを含む請求項１に記載のシステム。
【請求項９】
前記生体サンプルに前記少なくとも１つの病原体が存在するか否かに関する情報を、格納する電子メモリをさらに含む請求項１に記載のシステム。
【請求項１０】
前記評価の第１結果を前記現場から離れた場所の施設に送信する送信モジュールをさらに含む請求項１に記載のシステム。
【請求項１１】
前記被験者に援助の通知を伝達する援助モジュールをさらに含む請求項１に記載のシステム。
【請求項１２】
前記援助は、経済的援助を含む請求項１１に記載のシステム。
【請求項１３】
前記経済的援助は、金銭的援助、奨励金、割り引き、および、クーポンのうちの少なくとも１つを含む請求項１２に記載のシステム。
【請求項１４】
前記援助は、予防に役立つ援助を提供することに関係する請求項１１に記載のシステム。
【請求項１５】
被験者から取得された生体サンプルに、少なくとも１つの病原体が存在するか否かについて、医療施設から遠隔で前記生体サンプルを自動的に評価する評価モジュールと、
現場から離れた場所の施設に送信するために、当該評価の第１結果を格納する電子メモリと、
当該送信のために前記評価の第１結果が格納された後、前記被験者に対する援助の通知を受信する援助モジュールとを含むシステム。
【請求項１６】
被験者から取得された生体サンプルに、少なくとも１つの病原体が存在するか否かについて、医療施設から遠隔で前記生体サンプルを自動的に評価することは、
前記生体サンプルに前記少なくとも１つの病原体が存在するか否かを示す、少なくとも１つの抗原または核酸が当該生体サンプルに存在するか否かについて、前記生体サンプルを評価することを含む請求項１５に記載のシステム。
【請求項１７】
被験者から取得された生体サンプルに、少なくとも１つの病原体が存在するか否かについて、医療施設から遠隔で前記生体サンプルを自動的に評価することは、
前記少なくとも１つの病原体に対する、少なくとも１つの抗体の免疫反応性が存在するか否かについて、前記生体サンプルを評価することを含む請求項１５に記載のシステム。
【請求項１８】
前記少なくとも１つの病原体に対する、少なくとも１つの抗体の免疫反応性が存在するか否かについて、前記生体サンプルを評価することは、
前記少なくとも１つの病原体に対する、前記少なくとも１つの抗体の免疫反応性が存在するか否かを判定するために、ラボ・オン・チップ、分析試料、側方流動試験紙、比色試験紙、側方流動比色試験紙、経皮的試験デバイス、および、ランセットのうちの少なくとも１つを利用することを含む請求項１７に記載のシステム。
【請求項１９】
前記ラボ・オン・チップ、分析試料、側方流動試験紙、比色試験紙、側方流動比色試験紙、経皮的試験デバイス、および、ランセットのうちの少なくとも１つは、固有の識別子を含む請求項１８に記載のシステム。
【請求項２０】
前記固有の識別子は、バーコード、ＲＦＩＤタグ、および、無線タグのうちの少なくとも１つを含む請求項１９に記載のシステム。
【請求項２１】
前記少なくとも１つの病原体は、ウイルス、寄生生物、細菌、菌、毒素、および、毒素産生病原体のうちの少なくとも１つを含む請求項１５に記載のシステム。
【請求項２２】
前記少なくとも１つの病原体は、インフルエンザＡウイルス、インフルエンザＡウイルスの亜種、インフルエンザＢウイルス、および、インフルエンザＣウイルスのうちの少なくとも１つを含む請求項１５に記載のシステム。
【請求項２３】
前記生体サンプルに前記少なくとも１つの病原体が存在するか否かに関する情報を、格納する電子メモリをさらに含む請求項１５に記載のシステム。
【請求項２４】
前記評価の第１結果を前記現場から離れた場所の施設に送信する送信モジュールをさらに含む請求項１５に記載のシステム。
【請求項２５】
前記被験者に対する援助の通知を受信することは、
有線接続、無線信号、デジタル信号、無線識別（ＲＦＩＤ）タグ信号、通信ネットワーク、および、無線タグ信号のうちの少なくとも１つを介して、前記被験者に対する前記援助の通知を受信することを含む請求項１５に記載のシステム。
【請求項２６】
前記援助モジュールは、前記被験者に対する援助の通知を伝達するように構成されている請求項１５に記載のシステム。
【請求項２７】
前記援助は、経済的援助を含む請求項２６に記載のシステム。
【請求項２８】
被験者から取得された生体サンプルに、少なくとも１つの病原体が存在するか否かについて、医療施設から遠隔で前記生体サンプルを自動的に評価する評価モジュールと、
現場から離れた場所の施設に送信するために、当該評価の第１結果を格納する、前記評価モジュールに対応付けられた電子メモリと、
当該送信のために前記評価の第１結果が格納された後、前記被験者に対する援助の通知を受信する、前記評価モジュールに対応付けられた援助モジュールとを備えているデバイス。
【請求項２９】
被験者から取得された生体サンプルに、少なくとも１つの病原体が存在するか否かについて、医療施設から遠隔で前記生体サンプルを自動的に評価するように構成されたコンピュータ使用可能なコードと、
現場から離れた場所の施設に送信するために、当該評価の第１結果を電子的に格納するように構成されたコンピュータ使用可能なコードと、
当該送信のために前記評価の第１結果が格納された後、当該評価の第２結果を前記被験者に報告するように構成されたコンピュータ使用可能なコードとを保持する、追記型の一時的でない信号保持媒体を含むコンピュータプログラム製品。
【請求項３０】
前記生体サンプルに前記少なくとも１つの病原体が存在するか否かに関する情報を、電子メモリに格納するように構成されたコンピュータ使用可能なコードをさらに含む請求項２９に記載のコンピュータプログラム製品。
【請求項３１】
符号化フォーマット、英数字コード、画像、および、話し言葉フォーマットのうちの少なくとも１つを含む難読化を用いて、前記少なくとも１つの病原体が存在するか否かを、前記被験者に報告するように構成されたコンピュータ使用可能なコードをさらに含む請求項２９に記載のコンピュータプログラム製品。
【請求項３２】
前記評価の第１結果を前記現場から離れた場所の施設に送信するように構成されたコンピュータ使用可能なコードをさらに含む請求項２９に記載のコンピュータプログラム製品。
【請求項３３】
前記評価の第１結果を前記現場から離れた場所の施設に送信することは、
当該現場から離れた場所の施設からのアクセスのために、前記第１結果を中継地に送信することを含む請求項３２に記載のコンピュータプログラム製品。
【請求項３４】
前記評価の第１結果を前記現場から離れた場所の施設に送信した後、前記被験者に援助の通知を伝達するように構成されたコンピュータ使用可能なコードをさらに含む請求項３２に記載のコンピュータプログラム製品。
【請求項３５】
前記被験者に対する援助の通知を伝達するように構成されたコンピュータ使用可能なコードをさらに含む請求項２９に記載のコンピュータプログラム製品。
【請求項３６】
被験者から取得された生体サンプルに、少なくとも１つの病原体が存在するか否かについて、医療施設から遠隔で前記生体サンプルを自動的に評価するように構成されたコンピュータ使用可能なコードと、
現場から離れた場所の施設に送信するために、当該評価の第１結果を電子的に格納するように構成されたコンピュータ使用可能なコードと、
当該送信のために前記評価の第１結果が格納された後、前記被験者に対する援助の通知を受信するように構成されたコンピュータ使用可能なコードとを保持する、追記型の一時的でない信号保持媒体を含むコンピュータプログラム製品。
【請求項３７】
前記生体サンプルに前記少なくとも１つの病原体が存在するか否かに関する情報を、電子メモリに格納するように構成されたコンピュータ使用可能なコードをさらに含む請求項３６に記載のコンピュータプログラム製品。
【請求項３８】
符号化フォーマット、英数字コード、画像、および、話し言葉フォーマットのうちの少なくとも１つを含む難読化を用いて、前記少なくとも１つの病原体が存在するか否かを、前記被験者に報告するように構成されたコンピュータ使用可能なコードをさらに含む請求項３６に記載のコンピュータプログラム製品。
【請求項３９】
前記評価の第１結果を前記現場から離れた場所の施設に送信するように構成されたコンピュータ使用可能なコードをさらに含む請求項３６に記載のコンピュータプログラム製品。
【請求項４０】
前記評価の第１結果を前記現場から離れた場所の施設に送信することは、
当該現場から離れた場所の施設からのアクセスのために、前記第１結果を中継地に送信することを含む請求項３９に記載のコンピュータプログラム製品。
【請求項４１】
前記評価の第１結果を前記現場から離れた場所の施設に送信した後、前記被験者に援助の通知を伝達するように構成されたコンピュータ使用可能なコードをさらに含む請求項３９に記載のコンピュータプログラム製品。
【請求項４２】
前記被験者に対する援助の通知を受信することは、
有線接続、無線信号、デジタル信号、無線識別（ＲＦＩＤ）タグ信号、通信ネットワーク、および、無線タグ信号のうちの少なくとも１つを介して、前記被験者に対する前記援助の通知を受信することを含む請求項３６に記載のコンピュータプログラム製品。
【請求項４３】
被験者から取得された生体サンプルに、少なくとも１つの病原体が存在するか否かについて、医療施設から遠隔で前記生体サンプルを自動的に評価するステップと、
現場から離れた場所の施設に送信するために、当該評価の第１結果を電子的に格納するステップと、
当該送信のために前記評価の第１結果を格納した後、当該評価の第２結果を前記被験者に報告するステップとを含む方法。
【請求項４４】
被験者から取得された生体サンプルに、少なくとも１つの病原体が存在するか否かについて、医療施設から遠隔で前記生体サンプルを自動的に評価するステップは、
前記生体サンプルに前記少なくとも１つの病原体が存在するか否かを示す、少なくとも１つの抗原または核酸が当該生体サンプルに存在するか否かについて、前記生体サンプルを評価するステップを含む請求項４３に記載の方法。
【請求項４５】
被験者から取得された生体サンプルに、少なくとも１つの病原体が存在するか否かについて、医療施設から遠隔で前記生体サンプルを自動的に評価するステップは、
前記少なくとも１つの病原体に対する、少なくとも１つの抗体の免疫反応性が存在するか否かについて、前記生体サンプルを評価するステップを含む請求項４３に記載の方法。
【請求項４６】
前記少なくとも１つの病原体に対する、少なくとも１つの抗体の免疫反応性が存在するか否かについて、前記生体サンプルを評価するステップは、
前記少なくとも１つの病原体に対する、前記少なくとも１つの抗体の免疫反応性が存在するか否かを判定するために、ラボ・オン・チップ、分析試料、側方流動試験紙、比色試験紙、側方流動比色試験紙、経皮的試験デバイス、および、ランセットのうちの少なくとも１つを利用するステップを含む請求項４５に記載の方法。
【請求項４７】
前記ラボ・オン・チップ、分析試料、側方流動試験紙、比色試験紙、側方流動比色試験紙、経皮的試験デバイス、および、ランセットのうちの少なくとも１つは、固有の識別子を含む請求項４６に記載の方法。
【請求項４８】
前記固有の識別子は、バーコード、ＲＦＩＤタグ、および、無線タグのうちの少なくとも１つを含む請求項４７に記載の方法。
【請求項４９】
前記少なくとも１つの病原体は、ウイルス、寄生生物、細菌、菌、毒素、および、毒素産生病原体のうちの少なくとも１つを含む請求項４３に記載の方法。
【請求項５０】
前記生体サンプルに前記少なくとも１つの病原体が存在するか否かに関する情報を、電子メモリに格納するステップをさらに含む請求項４３に記載の方法。
【請求項５１】
前記評価の第１結果を前記現場から離れた場所の施設に送信するステップをさらに含む請求項４３に記載の方法。
【請求項５２】
前記被験者に対する援助の通知を伝達するステップをさらに含む請求項４３に記載の方法。
【請求項５３】
前記援助は、経済的援助を含む請求項５２に記載の方法。
【請求項５４】
前記経済的援助は、金銭的援助、奨励金、割り引き、および、クーポンのうちの少なくとも１つを含む請求項５３に記載の方法。
【請求項５５】
前記援助は、予防に役立つ援助を提供することに関係する請求項５２に記載の方法。
【請求項５６】
被験者から取得された生体サンプルに、少なくとも１つの病原体が存在するか否かについて、医療施設から遠隔で前記生体サンプルを自動的に評価するステップと、
現場から離れた場所の施設に送信するために、当該評価の第１結果を電子的に格納するステップと、
当該送信のために前記評価の第１結果が格納された後、前記被験者に対する援助の通知を受信するステップとを含む方法。
【請求項５７】
被験者から取得された生体サンプルに、少なくとも１つの病原体が存在するか否かについて、医療施設から遠隔で前記生体サンプルを自動的に評価するステップは、
前記生体サンプルに前記少なくとも１つの病原体が存在するか否かを示す、少なくとも１つの抗原または核酸が当該生体サンプルに存在するか否かについて、前記生体サンプルを評価するステップを含む請求項５６に記載の方法。
【請求項５８】
被験者から取得された生体サンプルに、少なくとも１つの病原体が存在するか否かについて、医療施設から遠隔で前記生体サンプルを自動的に評価するステップは、
前記少なくとも１つの病原体に対する、少なくとも１つの抗体の免疫反応性が存在するか否かについて、前記生体サンプルを評価するステップを含む請求項５６に記載の方法。
【請求項５９】
前記少なくとも１つの病原体に対する、少なくとも１つの抗体の免疫反応性が存在するか否かについて、前記生体サンプルを評価するステップは、
前記少なくとも１つの病原体に対する、前記少なくとも１つの抗体の免疫反応性が存在するか否かを判定するために、ラボ・オン・チップ、分析試料、側方流動試験紙、比色試験紙、側方流動比色試験紙、経皮的試験デバイス、および、ランセットのうちの少なくとも１つを利用するステップを含む請求項５８に記載の方法。
【請求項６０】
前記少なくとも１つの病原体は、ウイルス、寄生生物、細菌、菌、毒素、および、毒素産生病原体のうちの少なくとも１つを含む請求項５６に記載の方法。
【請求項６１】
前記少なくとも１つの病原体は、インフルエンザＡウイルス、インフルエンザＡウイルスの亜種、インフルエンザＢウイルス、および、インフルエンザＣウイルスのうちの少なくとも１つを含む請求項５６に記載の方法。
【請求項６２】
前記生体サンプルに前記少なくとも１つの病原体が存在するか否かに関する情報を、電子メモリに格納するステップをさらに含む請求項５６に記載の方法。
【請求項６３】
前記評価の第１結果を前記現場から離れた場所の施設に送信するステップをさらに含む請求項５６に記載の方法。
【請求項６４】
前記被験者に前記評価の第２結果を報告するステップをさらに含み、
前記評価の前記第２結果は、前記現場から離れた場所の施設を経由して判定される請求項６３に記載の方法。
【請求項６５】
前記評価の第１結果を前記現場から離れた場所の施設に送信した後、前記被験者に援助の通知を伝達するステップをさらに含む請求項６３に記載の方法。
【発明の詳細な説明】
【発明の詳細な説明】
【０００１】
〔発明の概要〕
一側面において、方法は、被験者から取得された生体サンプルに、少なくとも１つの病原体が存在するか否かについて、医療施設から遠隔で前記生体サンプルを自動的に評価するステップと、現場から離れた場所の施設に送信するために、当該評価の第１結果を電子的に格納するステップと、当該送信のために前記評価の第１結果を格納した後、当該評価の第２結果を前記被験者に報告するステップとを含む（ただし、これらに限定されない）。上記に加えて、他の方法の側面が、本開示の一部を構成する請求項、図面、および、文章において説明される。
【０００２】
１つ又は複数のさまざまな側面において、関連するシステムは、ここで参照された上記方法の側面を達成する回路および／またはプログラミングを含む（ただし、これらに限定されない）。ここで、上記回路および／またはプログラミングは、実質的には、システム設計者の設計的選択に応じて、ここで参照された上記方法の側面を達成するように構成されたハードウェア、ソフトウェア、および／または、ファームウェアの任意の組み合わせでよい。
【０００３】
一側面において、システムは、被験者から取得された生体サンプルに、少なくとも１つの病原体が存在するか否かについて、医療施設から遠隔で前記生体サンプルを自動的に評価する評価モジュールと、現場から離れた場所の施設に送信するために、当該評価の第１結果を格納する電子メモリと、当該送信のために前記評価の第１結果が格納された後、当該評価の第２結果を前記被験者に報告する報告モジュールとを含む（ただし、これらに限定されない）。上記に加えて、他のシステムの側面が、本開示の一部を構成する請求項、図面、および、文章において説明される。
【０００４】
一側面において、デバイスは、被験者から取得された生体サンプルに、少なくとも１つの病原体が存在するか否かについて、医療施設から遠隔で前記生体サンプルを自動的に評価する評価モジュールと、現場から離れた場所の施設に送信するために、当該評価の第１結果を格納する、前記評価モジュールに対応付けられた電子メモリと、当該送信のために前記評価の第１結果が格納された後、当該評価の第２結果を前記被験者に報告する、前記評価モジュールに対応付けられた報告モジュールとを含む（ただし、これらに限定されない）。上記に加えて、他のシステムの側面が、本開示の一部を構成する請求項、図面、および、文章において説明される。
【０００５】
一側面において、コンピュータプログラム製品は、被験者から取得された生体サンプルに、少なくとも１つの病原体が存在するか否かについて、医療施設から遠隔で前記生体サンプルを自動的に評価するように構成されたコンピュータ使用可能なコードと、現場から離れた場所の施設に送信するために、当該評価の第１結果を電子的に格納するように構成されたコンピュータ使用可能なコードと、当該送信のために前記評価の第１結果が格納された後、当該評価の第２結果を前記被験者に報告するように構成されたコンピュータ使用可能なコードとを保持する、追記型の一時的でない信号保持媒体を含む（ただし、これらに限定されない）。
【０００６】
上記に加えて、多様な他の方法および／またはシステムおよび／またはプログラム製品の側面が、本開示に係る、文章（例えば、請求項および／または詳細な説明）および／または図面などの教示において説明および表現される。
【０００７】
上記は要約であるため、単純化、一般化、包含、および／または、細部の省略を含み得る。ここで、上記要約は説明を目的とするものであって、限定を目的とするものではないことを、当業者は理解するだろう。ここで説明されるデバイスおよび／または処理および／または他の主題に係る他の側面、特徴、および、効果は、ここで説明される教示において明らかになるだろう。
【０００８】
〔図面の簡単な説明〕
図１は、概略図である。
【０００９】
図２は、処理の一例を示す処理フローを示す。
【００１０】
図３は、図２に示される処理フローに係る他の一実施の形態を示す。
【００１１】
図４は、図２に示される処理フローに係る他の一実施の形態を示す。
【００１２】
図５は、処理の一例を示す処理フローである。
【００１３】
図６は、処理の一例を示す処理フローである。
【００１４】
図７は、処理の一例を示す処理フローである。
【００１５】
図８は、処理の一例を示す処理フローである。
【００１６】
図９は、処理の一例を示す処理フローである。
【００１７】
図１０は、処理の一例を示す処理フローである。
【００１８】
図１１は、図８に示される処理フローに係る他の一実施の形態を示す。
【００１９】
図１２は、送信するためにサンプルを評価した結果を格納した後、当該結果を報告することに関係するコンピュータプログラム製品を示す。
【００２０】
〔発明の詳細な説明〕
以下の詳細な説明において添付の図面が参照され、当該図面は本明細書の一部を成す。当該図面においては、文脈で指定されない限り、類似のシンボルは類似の構成を示す。以下の詳細な説明、図面、および、請求項において説明される実施の形態は、限定することを意図したものではない。本願において提示される主題に係る思想または範囲から離れることなく、他の実施の形態が利用されてもよいし、他の変形が行われてもよい。
【００２１】
ハードウェア、ソフトウェア、および／または、ファームウェアによってシステムの一側面を実装することに関しては、殆ど差異のない段階まで、従来の技術は進歩している。すなわち、ハードウェア、ソフトウェア、および／または、ファームウェアを選択することは、費用対効果のトレードオフに基づく設計事項であることが通常である（ただし、ある種の状況において、ハードウェアを選択するか、ソフトウェアを選択するかが重要になる場合がある）。ここで説明する処理および／またはシステムおよび／または他の技術を達成する様々な手段（例えば、ハードウェア、ソフトウェア、および／または、ファームウェア）が存在し、こうした有望な手段は、上記処理および／または上記システムおよび／または上記他の技術が開発された状況に沿って変化する。例えば、速度および精度が卓越していることを設計者が求めた場合、当該設計者は、主にハードウェアおよび／またはファームウェアによる手段を選択できる。または、柔軟性を求めた場合、上記設計者は、主にソフトウェアによる実現を選択できる。あるいは、上記設計者は、ハードウェア、ソフトウェア、および／または、ファームウェアの組み合わせを選択してもよい。したがって、ここで説明する処理、および／または、デバイス、および／または、他の技術を達成可能な手段はいくつか存在し、利用される任意の手段が、当該手段が利用される状況や上記設計者の特定の関心事（例えば、速度、柔軟性、または、予測可能性）に依存した選択となる点において、あるものが他のものよりも本質的に優れているということはなく、すべてが変化し得る。実装の最適側面においては、最適化されたハードウェア、ソフトウェア、および／または、ファームウェアを利用することが通常である。
【００２２】
ここで説明するいくつかの実装例において、ロジックおよび類似の実装には、ソフトウェアまたは他の制御構造が含まれる。例えば、ここで説明される様々な機能を実装するために、構築され、配置された電子回路に含まれる１つ又は複数のパス（paths）を、電子回路が有してもよい。いくつかの実装例において、ここで説明するように動作可能な装置検知可能命令（a device detectable instructions）を、１つ又は複数の媒体が保持または送信する場合、当該媒体は、デバイスが検知可能な実装を有するように構成されてもよい。例えば、いくつかの変形例において、ここで説明される１つ又は複数の処理に関係する、１つ又は複数の命令を受信または送信することによって、既存のソフトウェアもしくはファームウェア、または、ゲートアレイもしくはプログラム可能なハードウェアを更新し、または変更することが含まれてよい。それに替えて又はそれに加えて、いくつかの変形例において、特殊用途のハードウェア、ソフトウェア、ファームウェアコンポーネント、および／または、特殊用途のコンポーネントを実行あるいは駆動する汎用のコンポーネントが、実装されていてもよい。ここで説明されるような有形の送信媒体の１つ又は複数の実現例によって（例えば、パケット送信によって、または、さまざまな時間に配信された媒体を通過することによって）、仕様または他の実装は送信され得る。
【００２３】
それに替えて又はそれに加えて、特殊用途の命令列を実行すること、または、ここで説明する実質的な任意の機能的動作に関する１つ又は複数の出来事を、可能にし、起動し、連携させ、要請し、または、引き起こす回路を駆動することが、実装に含まれてよい。いくつかの変形例において、操作に関する記載または他の論理的な記載は、ソースコードとして表現可能であるとともに、実行可能な命令列としてコンパイルまたは呼び出され得る。例えば、ある状況においては、Ｃ＋＋または他のコード列などのソースコードによって、その全部または一部を実装可能である。他の実装においては、ソースコードまたは他のコードによる実装は、商業的に利用可能な技術および／または従来の技術を用いて、高水準な言語にコンパイル／実装／翻訳／変換され得る（例えば、説明された技術を、まずＣまたはＣ＋＋プログラミング言語で実装した後、該プログラミング言語による実装を、論理合成可能な言語による実装、ハードウェア記述言語による実装、ハードウェア設計シミュレーションによる実装、および／または、他の類似する表現のモードに変換できる）。例えば、論理表現（例えば、コンピュータプログラミング言語による実装）のうちのいくつか又は全部は、ヴェリログ型のハードウェア記述（例えば、ハードウェア記述言語（ＨＤＬ）、および／または、超高速集積回路設計用ハードウェア記述言語（ＶＨＤＬ））、または、ハードウェア（例えば、アプリケーション専用集積回路）を有する物理的実装を生成するために使われる他の回路モデルとして表される。これらの教示を利用して、適切な送信または計算論的な要素、資材供給、アクチュエータ、あるいは他の構造を取得し、構成し、および、最適化する方法を、当業者は認識するだろう。
【００２４】
図１は、本開示に係る生体サンプル（biological sample）を評価し、報告するシステムを示す。当該システムは、評価モジュール（evaluation module）１１０、電子メモリ（electronic memory）１２０、送信モジュール（transmission module）１３０、報告モジュール（reporting module）１４０を含み、援助モジュール（benefit module）１５０を適宜含む。一実装例によれば、上記評価モジュール１１０、上記電子メモリ１２０、上記送信モジュール１３０、および、上記報告モジュール１４０は、単一システム１００に含まれてよい。また、一実装例によれば、上記評価モジュール１１０が単一のデバイスとして与えられ、上記電子メモリ１２０、上記送信モジュール１３０、および、上記報告モジュール１４０が、異なるデバイスとして与えられる。さらに、一実装例によれば、上記電子メモリ１２０および上記送信モジュール１３０は単一のデバイスに含まれ、上記報告モジュール１４０は他のデバイスに含まれる。本開示に用いられ得るデバイスの限定的なリストは、パーソナルコンピュータ、ラップトップコンピュータ、パームトップコンピュータ、個人用デジタル補助装置（Personal Digital Assistant；ＰＤＡ）、携帯電話、または、画像キャプチャデバイス（例えば、デジタルカメラ）を含む。なお、上記リストは例示に過ぎず、他の様々なデバイスが本開示とともに用いられてもよいことに注意する。さらに、異なる機能の組み合わせを含む異なるデバイスは、上記評価モジュール１１０、上記電子メモリ１２０、上記送信モジュール１３０、上記報告モジュール１４０、または、上記援助モジュール１５０として説明される様々な機能を実現するために用いられる。例えば、システム１００は、上記評価モジュール１１０、上記電子メモリ１２０、上記送信モジュール１３０、上記報告モジュール１４０、および、上記援助モジュール１５０を含む。
【００２５】
システム１００に含まれる評価モジュール１１０は、１つ又は複数の病原体が被験者に存在するか否かを判定するために、生体サンプルを自動的に評価する。例えば、当該１つ又は複数の病原体は、１つ又は複数のウイルス（例えば、ヒト免疫不全ウイルス（ＨＩＶ））、寄生生物（parasite）、細菌（bacterium）、菌（fungus）、毒素（toxin）、または、毒素産生病原体（toxin-producing pathogen）を含む。さらに、上記１つ又は複数の病原体は、１つ又は複数の風邪のばい菌（例えば、インフルエンザＡウイルス、インフルエンザＡウイルスの亜種、インフルエンザＢウイルス、インフルエンザＣウイルスなど）を含む。例えば、上記評価モジュール１１０は、上記生体サンプルにおける病原体の存否を検知できる。ここで用いられるように、「病原体」（pathogen）の用語は、病原体そのもの、または、上記被験者に含まれる病原体の存在を示す１つ又は複数の指標を含む。当該被験者に含まれる病原体の上記指標は、当該病原体、当該病原体の同種、当該病原体に対する抗体の免疫反応性（antibody immunoreactive）、化学物質、毒素、核酸（nucleic acid）、病原体関連分子パターン（Pathogen-Associated Molecular Pattern；ＰＡＭＰ）、または、当該病原体の存在に関連するその他類似のものに対する抗原を含む。上記核酸は、病原体のＤＮＡ、ＲＮＡ、または、ポリヌクレオチド断片から取得または発見される。例えば、特定のＤＮＡ配列は病原体に関連する。他の例においては、非メチル化核酸（unmethylated nucleic acid；ＣｐＧ）は、細菌性病原体（bacterial pathogen）に関連する。また、二本鎖ＲＮＡは、ウイルス性の病原菌に関連する。ＰＡＭＰは、細菌性鞭毛のフラジェリン、グラム陽性菌のペプチドグリカン、グラム陽性菌のリポ多糖類（lipopolysaccharide；ＬＰＳまたは内毒素（endotoxin））、リポタイコ酸（Lipoteichoic acid；ＬＴＡ）のグラム陽性菌、二本鎖ＲＮＡ、または、非メチル化ＤＮＡを含んでいてもよい。さらに、上記評価モジュール１１０は、上記サンプルに直接含まれる１つ又は複数の病原体の存否を検知できる。
【００２６】
被験者は、評価モジュール１１０による評価のために生体サンプルを提供する。当該サンプルは、医療施設から遠隔で取得される。また、上記評価モジュール１１０は、医療施設から遠隔で取得された上記生体サンプルを自動的に評価する。ここで、本開示の文脈においては、「医療施設」（health care facility）の用語は、生体サンプルの評価が行われる場所、または、人々もしくは環境要因（グループでの健康管理活動に関連しない居住型環境において通常みられるものの外側にあるもの）から被験者が生体病原菌（biological pathogens）に晒される場所を任意に含む。上記医療施設の限定的なリストは、病院、外来診療クリニック、緊急治療クリニック、および、人間ドックセンターおよび診断研究所を含む。一実施の形態によれば、上記サンプルは、例えば、鼻腔標本（nasal swab）、口腔標本（oral swab）、胸郭標本（thoracic swab）、鼻吸引（nasal aspirate）、口吸引（oral aspirate）、胸郭吸引（thoracic aspirate）、鼻腔洗浄（nasal wash）、口腔洗浄（oral wash）、胸郭洗浄（thoracic wash）、組織／肌収集（tissue/skin scrape）、痰、唾液、つば、尿、血液などから得られた１つ又は複数の生体サンプル（例えば、流体（fluid）、細胞（cell）、または、組織（tissue））を含む。一実施の形態によれば、上記評価モジュール１１０は、１つ又は複数の試験紙（test strip）、「ラボ・オン・チップ」（lab-on-a-chip）デバイス、分析試料（assay、例えば、マイクロエレクトロメカニカルシステム／マイクロエレクトロニックおよびマイクロエレクトロメカニカルシステム（ＭＥＭＳ）生物学的検定法デバイス）、側方流動試験紙（lateral flow test strip）、比色試験紙（colorimetric test strip）、側方流動比色試験紙、経皮的試験デバイス（transdermal testing device）、ランセット（lancet）、または、サンプルに１つ又は複数の病原体が存在するか否かを判定するための類似物を含んでよい。
【００２７】
一実施の形態によれば、比色試験紙は、アプタマーベース（aptamer based）のものでよい。検体と同種の核酸アプタマーは、細長片またはカードに接合されている。接合した状態において、上記試験紙の色は、簡単に検知できるほど変化する。他の実施の形態によれば、カリフォルニア、サンディエゴにあるバイオサイト・ダイアグノスティクス社によって開発されたトリアージ式寄生パネルなどの抗体複合体（antibody-conjugates）を用いた比色試験紙が含まれる。トリアージ（登録商標）式試験紙は、２９−ｋＤａ表面抗原（E. histolytica-E. dispar）、アルファ１ジャーディン（alpha-1-giardin, G. lamblia）およびタンパク質ジスルフィドイソメラーゼ（C. parvum）に対して特異的な単クローン抗体の免疫体で覆われた単一の免疫クロマトグラフ（immuno-chromatographic；ＩＣ）試験紙である。上記抗体複合体（アルカリ性ホスファターゼ）が基質（インドキシル、リン酸塩）に対して反応し、上記ＩＣ試験紙において簡単に検知可能な暗い青紫の線が現れた場合、トリアージキットの陽性反応が、定性的な比色反応によって特定される。
【００２８】
一実施の形態によれば、評価モジュール１１０は、側方流動試験紙を含む。上記側方流動試験紙は、サンプルパッドを通常含む。すなわち、上記試験紙の適用箇所に載置される吸収性パッド、複合または試薬パッド（conjugate or reagent pad）であり、着色粒子（これらはゴールド粒子、または、ラテックスマイクロスフェアを含むことが通常である）に接合された病原体に特有の免疫体を含む。同様に、反応細胞膜も含み、これは疎水性ニトロセルロース、または、セルロース酢酸塩薄膜であることが通常である。ここで、上記疎水性ニトロセルロースまたはセルロース酢酸塩薄膜は、捕捉領域または試験線（制御領域が存在し、上記抗体複合体に特有の抗原を含む）として細胞膜の境界において抗病原免疫体（anti-pathogen antibodies）の機能を不活発にする箇所に載置される。すなわち、芯または廃棄蓄積（wick or waste reservoir、毛細管現象によって反応細胞膜のサンプルを取得し、収集するために設計された更なる吸収性パッド）である。側方流動試験紙の構成材は、挿入裏当て材（insert backing material）に固定され、単純な計深棒のフォーマット（dipstick format）、または、サンプルポートと捕捉領域および制御領域を示す反応窓とを含むプラスチック枠によって実現されてもよい。
【００２９】
側方流動試験紙の一例には、二重抗体サンドイッチ分析が含まれる。上記生体サンプルは、任意の病原体を複合体に拘束する複合パッドを通って移動する。したがって、病原体：複合体（pathogen:conjugate）は、当該病原体：複合体が不活発化された免疫体に拘束する捕捉領域に達するまで、細胞膜を移動し続ける。これにより、細胞膜の境界線は可視化され、検知可能になる。上記サンプルは、制御領域に達するまで試験紙に沿ってさらに移動し、超過した複合体は拘束され、細胞膜の第２の境界線は可視化され、検知可能になる。当該制御線は、上記サンプルが意図したように細胞膜を移動したことを示す。細胞膜における２つの明瞭な線は、陽性結果を示す。制御領域における単一線は、陰性結果を示す。二重抗体サンドイッチ分析は、多様な抗原部位に対して、より大きな検体（例えば、これに限定するものではないが、細菌性病原体およびウイルス）に適する。
【００３０】
競合アッセイ（competitive assays）は、すでに対象となる上記病原体に束縛された抗原を含む複合パッドを利用する。上記生体サンプルに病原体が存在する場合、当該病原体は複合体に拘束されず、非標識のまま残る。上記サンプルが細胞膜に沿って移動し、捕捉領域に達した場合、非標識の病原体が超過した分は不活発化された抗原に拘束され、当該複合体の捕捉を阻害するため、可視線は現れない。したがって、非束縛複合体は、制御領域において抗原に束縛され、可視制御線が現れる。上記細胞膜における単一の制御線は、陽性結果である。捕捉領域および制御領域における２つの可視線は、陰性結果である。しかし、非標識の病原体の超過分が存在しない場合、上記捕捉領域に弱い線が現れることがあり、これは不確定な結果を示す。競合アッセイは、２つ以上の抗原を同時に束縛できない微小分子（例えば、マイコトキシン）の試験に最も適する。ここで、様々な側方流動技術が従来から存在し、それらは本発明の技術的範囲に含まれる。上記細胞膜の捕捉領域は、免疫体ではなく、対象となる検体に応じて、不活発化された抗原または酵素を含んでよい。一実施の形態によれば、複数の捕捉領域が多重試験紙を生成するために用いられる。例えば、同一のサンプルからＥＨＥＣシガ毒素ＳＴ１およびＳＴ２の両方を別個に検知可能な商用試験紙が、開発されている。
【００３１】
側方流動免疫測定法（lateral flow immunoassays）によれば、１５分以内に結果が出ることが通常である。捕捉領域に束縛された複合体の量を計測するために、定量化の程度を得ることができる。これは、精密な読み取り器を用いて、着色試験による線の明度を計測することにより可能である。例えば、ネオゲン・コーポレーション社（Neogen Corporation）は、Reveal（登録商標）アッセイキットの範囲で用いるために、Accuscan（登録商標）側方流動読み取り器を開発しており、チャーム・サイエンス社（Charm Sciences）は、マイコトキシン試験紙のRosa（登録商標）の範囲で用いるための読み取り器を供給している。蛍光染料によって標識付けられた複合体を用いるような他の技術は、側方流動アッセイ（lateral flow assays）の定量化能力を改善できる。
【００３２】
一実施の形態においては、評価モジュール１１０は、ラボ・オン・チップデバイスを含む。例えば、Schulze, et al., J Biophotonics. 2009 Apr;2(4):199-211を参照されたい。なお、これは参照によって本願に組み込まれる。一実施の形態においては、ペプチドナノチューブセンサ（例えば、de la Rica, et al., Angewandte Chemie International Edition, Volume 47, Issue 50, 9752-9755, Dec. 2008において説明されたもの）が含まれてよい。なお、これは参照によって本願に組み込まれる。上記ペプチドナノチューブセンサは、免疫体被膜のペプチドナノチューブに架橋された金電極の組を用いる。当該ナノチューブは、上記免疫体と上記病原体とを分子認識することによって、上記病原体をその表面に集める。上記ナノチューブは電界場線分布（electric field line distribution）の中に適合し、病原体の非常に精度の高い静電容量測定検知（extremely sensitive impedimetric detection of pathogen）を可能にする。
【００３３】
一実施の形態によれば、評価モジュール１１０は、免疫凝集に光散乱検出を用いるラボ・オン・チップデバイスを含む。例えば、"Lab-on-a-Chip for Field Escherichia coli Assays: Long-Term Stability of Reagents and Automatic Sampling System," Journal of the Association for Laboratory Automation, Volume 15, Issue 3, Pages 216-223;を参照されたい。なお、これは参照によって本願に組み込まれる。
【００３４】
一実施の形態によれば、評価モジュール１１０は、生体分子捕捉層（biological molecule capture layer）を含む１つ又は複数のセンサを含む。上記生体分子捕捉層は、１つ又は複数の対象分子（病原体）を特に結合する、異なる結合分子（binding molecules）の配列を含んでよい。例えば、一実施の形態において、上記１つ又は複数のセンサは、捕捉病原体へと修正された微小領域の配列を含む。一実施の形態によれば、上記１つ又は複数のセンサは、捕捉された病原体を検知するために、１つ又は複数の表面プラズモン共鳴センサを含む。例えば、表面プラズモン共鳴に基づくセンサは、流体と接触して薄い金属フィルムに対する点火を反射することにより、当該流体中に浮遊する病原体を検知する。分子が吸収されると屈折の局所的なインデックスに変化が生じ、その結果、表面プラズモン波の共鳴条件に検知可能な変化が生じる。
【００３５】
一実施の形態によれば、評価モジュール１１０は試験紙を含む。ここで、当該試験紙は、化学センサ（chemical sensor）、試験アッセイ（test assay）、または、病原体の存否を判定可能な任意の種類の器具類（例えば、生化学的アッセイ（biochemical assay）を実行する器具類）を有する。一実施の形態によれば、評価モジュール１１０による評価のために、ユーザは、生体サンプルを収集部に供給できる。一実施の形態によれば、上記評価モジュール１１０は、上記収集部から離れている。例えば、ユーザは、上記収集部（例えば、尿を集めるためのカップ）に生体サンプルを供給できる。したがって、当該ユーザは、評価のために上記試験紙を上記生体サンプルに挿入できる。一実施の形態によれば、上記収集部は、上記評価モジュール１１０に統合される。例えば、上記評価モジュール１１０は、家庭用健康器具を含んでもよい。ユーザは、収集部に生体サンプルを供給でき、評価のために当該収集部を上記家庭用健康器具に挿入できる。
【００３６】
一実施の形態によれば、上記評価モジュール１１０は、固有の識別子を含んでよい。上記固有の識別子は、１つ又は複数のバーコード、ＲＦＩＤタグ、または、ワイヤレスタグを含んでよい。一実施の形態によれば、上記固有の識別子は、１つ又は複数のロット番号、グループの割り当て、取得の位置、報告の位置、取得の日、報告の日、取得の日から報告の日までに経過した時間、または、評価モジュール１１０の型を示すものであってもよい。
【００３７】
一実施の形態によれば、記憶するために、または現場から離れた場所の施設（off-site entity）１６０に送信するために、上記評価モジュール１１０は、上記生体サンプルに含まれる、少なくとも１つの病原体の存否に関連する情報を、電子メモリ１２０に格納する。少なくとも１つの病原体の存否に関連する上記情報は、符号化されたフォーマットで格納されてよい。上記現場から離れた場所の施設１６０は、１つ又は複数の医療的ケア提供者、公的健康機関、政府機関、または、保険機関であってよい。例えば、限定することなく、上記現場から離れた場所の施設１６０は、疾病対策センター（ＣＤＣ）、米連邦緊急事態管理局（ＦＥＭＡ）、または、米国政府によって運営される保健福祉の部署における連邦政府関係機関のうちの少なくとも１つであってよい。
【００３８】
一実施の形態によれば、少なくとも１つの病原体の存否に関する情報は、新生感染症（ＥＩＤ；emerging infections diseases）を含む感染症の調査において、現場から離れた場所の施設１６０によって照合されてよい。上記情報は、個体群における疾病を監視し、疾病の蔓延および流行に関する情報を収集するために使われてよい。上記新生感染症は、新しく特定された微生物、もしくは公知微生物の新しく特定された菌株によって引き起こされる疾病、現存の有機体の変化、もしくは進化から生じた新しい感染症、新しい地理的領域、もしくは新しい個体群に広がる既知の感染症、生態遷移が進む領域において新しく確認された疾病、または、薬物耐性または公衆衛生悪化が進む領域において再興した、以前から存在し、確認された疾病を含む。また、現場から離れた場所の施設１６０は、新生感染症に生じる望ましくない相乗的作用、および、新しいシンデミック（合併症；syndemics）を引き起こす他の疾病の条件および非疾病の条件との相乗的作用を監視できる。疾病間の上記相乗的作用は、それぞれの疾病の健康への悪影響を増幅させる可能性がある。
【００３９】
評価モジュール１１０は、例えば、上記サンプルに病原体が含まれているか否かを示す第１結果（a first result）のように、１つ又は複数の試験結果を提示できる。上記評価に関する第１結果を、被験者またはユーザに伝達または報告できる。また、上記第１結果の全て、または限定的な形式で、当該第１結果を被験者またはユーザに伝達できる。さらに、一実施の形態によれば、非被験者または非ユーザに伝達されないようにするために、難読化して上記第１結果を伝達してよい。さらに、一実施の形態によれば、難読化のフォーマットは、１つ又は複数の符号化フォーマット（encoded format）、英数字コード（alphanumeric code）、画像（image）、または、話し言葉フォーマット（spoken word format）を含む。さらに、上記サンプルに少なくとも１つの病原体が存在するか否かに関連する上記情報は、難読化された上記評価に関する第１結果として、電子メモリ１２０に格納されてよい。さらに、一実施の形態によれば、現場から離れた場所の施設１６０に順次送信するために、上記電子メモリ１２０において、上記評価の上記第１結果を待ち行列に入れてよい。
【００４０】
一実施の形態において、上記サンプルにおける病原体の存否を示す評価の第１結果は、１つ又は複数の値、しきい値、または、多数のしきい値に基づいて判定されてよい。例えば、指標がしきい値を超過したことが計測された場合、病原体が存在すると判定される。あるいは、多数のしきい値に対する病原体の複数の指標が計測された場合、病原体が存在すると判定される。ここで、それぞれの指標は、１つ又は複数のしきい値に対して計測されてよい。また、上記サンプルに病原体が含まれていないことは、上記と同様の方法により判定されてよい。
【００４１】
被験者、またはユーザ（ここで、両者は相互に置換可能である）は、上記評価の第１結果を上記現場から離れた場所の施設１６０に送信することを開始する。または、システム１００は、（例えば、送信モジュール１３０を用いて）上記評価の第１結果を上記現場から離れた場所の施設１６０に自動的に送信してもよい。上記送信モジュール１３０は、有線接続（wired connection）、無線信号（wireless signal）、デジタル信号（digital signal）、無線識別（Radio Frequency Identification；ＲＦＩＤ）タグ信号、通信ネットワーク（communications network）、または、無線タグ信号（wireless tag signal）を介して、上記評価の第１結果を送信できる。例えば、上記システム１００は、相互接続ネットワーク（例えば、インターネットまたは携帯電話ネットワーク）への接続を含む。一実施の形態によれば、上記システム１００は、現場から離れた場所の施設１６０からのアクセスのために、上記評価の第１結果を中継地（intermediate off-site entity）に送信してもよい。例えば、システム１００は、ウェブサイトまたはデータベースに上記結果を投稿できる。したがって、上記現場から離れた場所の施設１６０は、上記結果にアクセスして読み出すことができる。一実施の形態によれば、上記システム１００は、送信モジュール１３０を含む。当該送信モジュール１３０は、ネットワークに接続し易くするためのネットワークインターフェースとして実装されてよい。上記第１結果は、当該ネットワークインターフェースを用いて、上記現場から離れた場所の施設１６０に送信される。または、上記第１結果は、上記サンプル試験の結果に基づいて生成されたバーコードの形式で上記ユーザに提供され、当該ユーザは、当該バーコードを電気的に読む、または撮像することができる。そして、当該バーコードを読む、または撮像することによって生成された情報を（例えば、上記ネットワークインターフェースなどを用いて）、上記現場から離れた場所の施設１６０に送信できる。
【００４２】
上記システム１００は、フラッシュドライブ（flash drive、例えば、評価モジュール１１０を含むフラッシュドライブの場合）をさらに含むことができ、上記第１結果は、ネットワークインターフェースを用いて上記現場から離れた場所の施設１６０に上記フラッシュドライブから送信されてよい。ここで、上記第１結果は、上記フラッシュドライブに含まれる、または、ネットワークインターフェースを含むパーソナルコンピュータに当該フラッシュドライブを接続することによってアクセス可能である。この場合、上記フラッシュドライブ、および／または、コンピュータは、送信モジュール１３０として機能する。また、上記第１結果は、英数字コードの形式で上記ユーザに与えられてもよい。このとき、当該ユーザが当該英数字コードを（例えば、キーパッド、音声入力、テキストメッセージングなどを用いて）入力すると、当該英数字コードを上記現場から離れた場所の施設１６０に（上記ネットワークインターフェースなどを用いて）送信できる。
【００４３】
上記評価の第１結果は、被験者に関する個人情報をいくつか含んでもよいし、まったく含まなくてもよい。当該被験者の個人情報の全部または一部は、当該被験者、ヘルスケア提供者、当該システムまたはデバイスの提供者に提供されてよい。例えば、上記個人情報は、上記被験者の性別、名前、通名（a generalization of a name）、生体認証、データベースポインタ（database pointer）、デモグラフィック（demographic）、年齢、家族構成、居所、または、民族のうちの１つ又は複数を含んでよい。一実施の形態によれば、上記被験者は、上記個人情報の匿名化の程度を選択できる。例えば、上記被験者は、ある家族のメンバー、ある住所の居住者、ある街路沿いの居住者、ある隣人の居住者、ある都市の居住者などとして特定されるように選択することができる。上記個人情報は、例えば、英数字で照会可能な識別子、または、数字で照会可能な識別子の形式をとってよい。
【００４４】
いくつかの個人情報の種類は、識別子（例えば、ＨＬＡ型、遺伝子マーカの存在、性ホルモン濃度、Ｙ染色体検査、ホルモン濃度、成長ホルモン値、または、血液型のうちの１または複数の識別子）を介して上記評価モジュール１１０によって判定される。例えば、Ｙ染色体検査は、上記被験者の家族関係／家族集団の判定（例えば、父系に由来する２人の男性について）に用いられる。一実施の形態によれば、個人の身元または個々人のグループに固有の識別子は、被験者の身元または被験者のグループを記録する又は検証するために用いられ、これにより、上記サンプルを提供した特定の個体に固有に関係する試験結果が保証される。一実施の形態によれば、上記個人情報は、上記被験者または第三者によって供給されてもよい。一実施の形態によれば、上記個人情報が上記被験者または第三者によって供給され、上記評価モジュール１１０を介して提供される。上記評価モジュール１１０は、試験紙、側方流動試験紙、比色試験紙、経皮的試験デバイス、または、ランセットを用いて、個人情報を判定する。例えば、ランセットは、個体から血液サンプルを収集するために用いられてよく、上記個体に関する個人情報（例えば、個体識別または個体層）を判定するために解析されてよい。経皮的試験デバイス又はランセットは、極微針（microneedle）、極微ランセット（microlancet）、極微突起（microprotrusion）、または、極微投影（マイクロプロジェクション、microprojection）を含む。一実施の形態によれば、被験者の血液サンプルから得られた特定のＤＮＡ情報は、上記被験者に関する識別ＤＮＡ情報（identifying DNA information）を含むデータベース１６６に格納された情報と比較される。一実施の形態によれば、上記評価モジュール１１０は、例えば、個人または個々人のグループに関連する識別遺伝情報（identifying genetic information）を格納できる１つ又は複数のデータベース、またはルックアップテーブルと操作可能に接続されている。上記１つ又は複数のデータベースは、上記評価モジュール１１０と関連付けられている、または、上記評価モジュール１１０の外部に存在する。上記１つ又は複数のデータベースは、個人的に又は公的に利用可能なデータベースであってよい。
【００４５】
一実施の形態によれば、上記システム１００は、上記評価の第１結果を上記現場から離れた場所の施設１６０に送信する、または当該送信をサポートするように構成されたソフトウェアを用いる。例えば、当該ソフトウェアは、インターネット、個人用通信デバイス、パーソナルコンピュータ、ラップトップコンピュータ、パームトップコンピュータ、個人用デジタル補助装置（ＰＤＡ）、携帯電話、または、画像キャプチャデバイスのうちの少なくとも１つにおいて実行されるように構成されてよい。上記ソフトウェアは、評価モジュール１１０とともに、または、評価モジュール１１０から分離されるように提供されてよい。上記ソフトウェアは、ウェブサイト、小売店のうちの１つ又は複数を介して、当該ソフトウェアのダウンロードを介して、または、メールで当該ソフトウェアを受信することを介して提供され得る。さらに、当該ソフトウェアは、政府機関またはヘルスクリニックのうちの１つ又は複数によって提供されてよい。
【００４６】
送信モジュール１３０は、評価モジュール１１０に操作可能に接続されている。一実施の形態によれば、上記送信モジュール１３０は、電子メモリ１２０に操作可能に接続されている。上記送信モジュール１３０は、上記電子メモリ１２０から第１結果に関連する情報を取得し、上記評価の第１結果を現場から離れた場所の施設１６０に送信するように構成されている。一実施の形態によれば、上記送信モジュール１３０は、上記送信モジュール１３０を上記現場から離れた場所の施設１６０に接続するネットワークインターフェースモジュール１６８に、対応付けられている。また、上記ネットワークインターフェースモジュールは、上記送信モジュールと上記現場から離れた場所の施設との間の接続におけるネットワーク活動（network activity）を検知するセンサに対応付けられていてよい。一実施の形態によれば、上記送信モジュール１３０は、上記評価の第１結果の送信をスケジューリングするスケジューリングモジュール（scheduling module）１７０（例えば、時計やタイマー）に対応付けられている。当該送信は、任意の時間（上記電子メモリ１２０に上記第１結果が供給された直後、上記電子メモリ１２０に上記第１結果が供給された後のネットワーク活動が減衰する時間、または、上記電子メモリ１２０に上記第１結果が供給された後の所定の時間を含む）に起こり得る。一実施の形態によれば、上記送信モジュール１３０は、上記電子メモリ１２０から得られた第１結果に関連する情報を受信する回路と、上記第１結果に関連する情報を現場から離れた場所の施設１６０に送信する回路とを含む。
【００４７】
一実施の形態によれば、システムは受信モジュール１６２を含み、これは上記現場から離れた場所の施設１６０によって用いられることが通常である。上記受信モジュール１６２は、送信モジュール１３０から上記評価の第１結果を受信するネットワークインターフェースなどによって実装可能である。一実施の形態によれば、上記受信モジュール１６２は、例えば、疾病状態または条件に関連する情報を含む、１つ又は複数のデータベースまたはルックアップテーブルに操作可能に接続されていてよい。一実施の形態によれば、上記受信モジュールは、上記現場から離れた場所の施設１６０によって操作されるデータベース１６４と対応付けられている。上記１つ又は複数のデータベースは、上記受信モジュール１６２に関連付けられているか、または、上記現場から離れた場所の施設１６０の外部に存在してよい。上記１つ又は複数のデータベースは、個人的または公的に利用可能なデータベースであってよい。一実施の形態によれば、上記受信モジュール１６２は、上記送信モジュール１３０からの情報を受信する回路と、当該送信モジュール１３０から受信した情報に基づいて、上記１つ又は複数のデータベースまたはルックアップテーブルに問い合わせる回路とを含む。一実施の形態によれば、上記１つ又は複数のデータベースまたはルックアップテーブルへの問合せ後、および、当該問合せに基づき、上記受信モジュール１６２は診断結果または処置を判定してもよいし、あるいは、上記データベースへの問合せの結果を上記現場から離れた場所の施設１６０に提供してもよい。一実施の形態によれば、上記受信モジュール１６２は、上記評価の第１結果と、もし所望される場合、個人情報または上記評価モジュールの固有識別子とを格納する電子メモリを含む。
【００４８】
一実施の形態によれば、上記現場から離れた場所の施設１６０は、上記評価の第２結果（a second result of the evaluation）を判定する。上記評価の第２結果は、上記サンプルに少なくとも１つの病原体が存在するか否かに、一部において少なくとも基づいて、診断結果または治療計画を含んでよい。上記評価の第２結果は、上記評価の第１結果であってもよいし、上記第１結果の代替表現であってもよい。例えば、上記第１結果が上記サンプルに病原性抗原（pathogenic antigen）が存在することを示す場合、上記第２結果は、当該病原性抗原が存在すること、または、代替表現（例えば、当該抗原の存在を示唆するもの）を含んでいてもよい。一実施の形態によれば、上記現場から離れた場所の施設１６０は、上記評価の第２結果を被験者に伝達する。当該伝達は、例えば、上記受信モジュール１６２を介して、または、電話または電子メールを介して当該被験者に直接伝達することによって、なされ得る。一実施の形態によれば、上記受信モジュール１６２は、上記評価の第２結果を報告モジュール１４０に送信するように構成された回路を含む。一実施の形態によれば、上記報告モジュール１４０は、前述したように診断結果または治療計画を含む、上記評価の第２結果を判定する。例えば、上記報告モジュール１４０は、例えば疾病状態または条件に関連する情報を含む、１つ又は複数のデータベースまたはルックアップテーブルに操作可能に接続されている。上記報告モジュール１４０は、上記評価の第２結果を被験者に報告してもよい。上記報告モジュール１４０は、当該被験者の近傍（例えば、上記現場から離れた場所の施設１６０から離れた場所）に存在してよい。
【００４９】
上記評価の第１結果が送信のために格納された後、上記報告モジュール１４０は、上記評価の第２結果／診断結果を被験者に報告してもよい。上記報告モジュール１４０は、上記評価の第１結果が送信のために格納される前に、上記評価の第２結果／診断結果を被験者に報告してもよい。一実施の形態によれば、上記報告モジュール１４０は、いくつかの関連付けられた被験者についての上記第２結果／診断結果を報告できる。例えば、一世帯は、当該世帯の構成員の一グループ又は当該世帯全体の評価のために、１つ又は複数の評価モジュール１１０を利用できる。上記報告モジュール１４０は、上記評価の１つ又は複数の診断結果を、上記世帯全体に報告できる（例えば、病原体が存在することを、世帯単位で報告する、または個々の家族の構成員に報告する）。上記報告モジュール１４０は、被験者に情報を伝達する表示回路または他の回路を含む。
【００５０】
援助モジュール１５０は、評価モジュール１１０、報告モジュール１４０、および、送信モジュール１３０のうちの１つ又は複数と操作可能に対応付けられている。上記援助モジュール１５０は、上記評価モジュール１１０、報告モジュール１４０、または、受信モジュール１６２から情報を受信する回路を含む。上記援助モジュールは、上記評価の第１結果および第２結果の一方または両方に関連する情報を受信し、受信した情報に基づいて、被験者に適切な援助（appropriate benefit）を決定する回路を含む。例えば、援助モジュール１５０は、郵便配達（postal delivery）、電子メール（e-mail）、英数字コード（alpha-numeric code）、印刷可能ドキュメント（printable document）、通知書（notification）、電話呼び出し（phone call）、および、個人間の接触（person-to-person contact）のうちの１つ又は複数を介して、上記被験者に援助の通知（a notification of a benefit）を開始する。一実施の形態によれば、有線接続、無線信号、デジタル信号、無線識別（ＲＦＩＤ）タグ信号、通信ネットワーク、および、無線タグ信号のうちの１つ又は複数を介して、上記被験者は援助の通知を受け取ることができる。なお、送信のために上記評価の第１結果が格納された後、上記援助の通知が受け取られる。また、送信のために上記評価の第１結果が格納される前に、上記援助の通知が受け取られてもよい。上記援助の通知は、上記現場から離れた場所の施設から直接または間接に受け取られてよい。例えば、上記援助は、ウェブサイトまたはデータベースに投稿されてよく、これにより、被験者は、上記援助または当該援助の通知にアクセスして読み出すことができる。一実施の形態によれば、上記援助は、上記評価の第１結果、上記評価の位置、上記評価の時間、および、上記評価の第１結果を送信した時間のうちの少なくとも１つに、一部において少なくとも基づいて決定される。上記援助は、上記現場から離れた場所の施設によって少なくとも部分的に決定される。一実施の形態によれば、上記システムは、位置検知モジュール（location sensing module）１７２（例えば、上記評価が行われた位置または上記位置検知モジュールの現在位置を決定する全地球測位システム（Global Positioning System；ＧＰＳ）の受信機）を含む。一実施の形態によれば、上記システムは、上記評価の時間または上記第１結果が送信される時刻を判定するスケジューリングモジュール１７０（例えば、時計やタイマー）を含む。一実施の形態によれば、上記援助は、少なくとも一部において確率的に判定されてよい。例えば、より大きい／より望ましい／より価値のある援助が１０％の確率で受信され、より小さい／より望ましくない／より価値の低い援助が９０％の確率で受信されてよい。また、上記援助は、被験者および当該被験者以外の人物のうちの１人または複数人に対する援助を含んでいてもよい。一実施の形態によれば、上記被験者の地理的領域を対象とするために、上記評価の位置に基づいて決定されてよい。あるいは、より好ましい援助が、対象とされた地理的領域（例えば、伝染病による影響を受ける地域）における個人に提供されてよい。さらに、迅速なサンプリング（抽出、sampling）および評価を促進するために、ある特定の期間（例えば、伝染病が蔓延する期間）に��いて個体が上記デバイス１００を利用する場合、より好ましい援助が提供されてもよい。
【００５１】
上記援助には、経済的援助が含まれてよい。例えば、当該経済的援助は、金銭的援助（monetary benefit）、奨励金（rebate）、割り引き（discount）、および、クーポンのうちの１つ又は複数を含んでよい。金銭的援助は、個人にインセンティブを与えるための望ましい方法であってよい。ただし、金銭的援助とは別に他の援助が与えられ得る、あるいは、非金銭的要素と組み合わせた金銭的要素が援助に含まれ得ることに注意する。一実施の形態によれば、上記金銭的援助は、上記サンプルを評価するコストより低い値、上記サンプルを評価するコストと略等しい値、または、上記サンプルを評価するコストより大きい値をとってよい。一実施の形態によれば、上記デバイス１００を購入するコストを埋め合わせるために、上記金銭的利益の値は当該デバイスを取得するコストと等しくてよい。あるいは、上記デバイス１００を利用することに対して各人にさらにインセンティブを与えるために、上記援助の値は、上記デバイスを購入するコストよりも大きくてもよい。
【００５２】
上記援助は、被験者に対する治療的有用性（therapeutic benefit）を提供することに関連してよい。例えば、上記治療的有用性は、当該被験者の治療法、当該被験者の治療に関する資格（qualification）、および、当該被験者の治療に関する優先状態（priority status）のうちの１つ又は複数を含んでよい。例えば、上記サンプルを評価した結果が、特定の薬剤によって治療される病原体の存在を示す場合、援助は、被験者にとって当該薬剤が適していることを示す通知を含むため、当該被験者は配達する、または取得することができる。あるいは、上記サンプルを評価した結果が、薬剤の注射（例えば、公的会場において受けられるような注射）によって治療可能な病原体の存在を示す場合、援助は、当該注射を受ける優先状態を含んでよい。
【００５３】
上記援助は、予防に役立つ援助（preventative benefit）を提供することに関係してもよい。例えば、上記予防に役立つ援助は、ワクチン、ワクチンを接種する資格、および、ワクチンを接種する優先状態のうちの１つ又は複数を含んでよい。例えば、特定の病原体の存否が、被験者が特定の疾病に罹患する傾向があることを示す場合、援助は、ワクチンの接種を含んでよい。あるいは、上記被験者の評価が特定の疾病に関係する病原体を示す場合、当該被験者の関係者（例えば、当該被験者の家系に属する誰か）は、当該示唆された疾病に対するワクチンを含む援助を受け取ってもよい。加えて、上記予防に役立つ援助は、隔離手続き（quarantine protocol）を含んでよい。一実施の形態によれば、当該予防に役立つ援助は、医療従事者に対する通知を含んでよい。例えば、隔離手続きを潜在的に開始するように、医療従事者は被験者の居住地を通知され、指図を受けてもよい。
【００５４】
上記援助は、診断による援助（diagnostic benefit）に関係してもよい。例えば、当該診断による援助は、検査の推薦を含んでよい。いくつかの例においては、例えば、被験者が特定の病気または状態であるか否かをより正確に判定するために、検知された病原体の特定の種類に基づいて、さらなる検査が必要となる。一実施の形態によれば、上記診断による援助は、第２サンプル（a second sample）において少なくとも１つの病原体が存在するか否かを判定するために、当該第２サンプルを評価する手段を含んでよい。例えば、病原体が潜在的な状態を示唆する場合、当該示唆された病原体に基づいて、さらなる検査が被験者に提供される。一実施の形態によれば、ユーザが治療的有用性／治療法または予防に役立つ援助を開始した場合、上記援助モジュール１５０は追加的な援助を伝達する。
【００５５】
図２は、処理の一例を表す処理フロー２００を示す。ここで、当該処理フローの図において「開始」または「終了」の指定は、限定的な意味で解釈されるものではないと理解すべきである。上記指定は限定要因ではなく、基準点（reference points）として与えられるものである。他のステップまたは特徴を含む他の処理または方法が、図示および説明される処理または方法を含む場合がある。ここで、図示される処理の前および後の一方または両方において、実行される他の処理が存在しないことを示唆するものではない。図２および処理フローの様々な例を示す後続の図においては、図１を参照して前述した一例、および／または、他の例および状況に関係して、考察および説明が与えられる。ただし、上記処理フローは、多数の他の環境および状況において、および／または、図１の変形例において実行可能であると理解すべきである。同様に、多様な処理フローが図示された順序で示されるが、図示された上記順序以外の他の順序で、または一斉に、多様な処理が実行され得ると理解すべきである。
【００５６】
開始処理の後、処理フロー２００は処理２１０に移る。処理２１０は、被験者から取得された生体サンプルに、少なくとも１つの病原体が存在するか否かについて、医療施設から遠隔で上記生体サンプルを自動的に評価することを示す。
【００５７】
次に、処理２２０は、現場から離れた場所の施設に送信するために、上記評価の第１結果を電子的に格納することを示す。
【００５８】
そして、処理２３０は、上記送信のために上記評価の第１結果を格納した後、当該評価の第２結果を上記被験者に報告することを示す。
【００５９】
図３は、図２に示される処理フロー２００の一例に係る他の実施の形態を示す。図３は、上記処理２１０が、少なくとも１つの追加的な処理を含む他の実施の形態を示す。当該追加的な処理は、処理３０２を含んでよい。
【００６０】
上記処理３０２は、上記生体サンプルに上記少なくとも１つの病原体が存在するか否かを示す、少なくとも１つの抗原が当該生体サンプルに存在するか否かについて、上記生体サンプルを評価することを示す。
【００６１】
図４は、図２に示される処理フロー２００の一例に係る他の実施の形態を示す。図４は、上記処理２１０が、少なくとも１つの追加的な処理を含む他の実施の形態を示す。当該追加的な処理は、処理４０２および／または処理４０４を含んでよい。
【００６２】
上記処理４０２は、上記少なくとも１つの病原体に対する、少なくとも１つの抗体の免疫反応性が存在するか否かについて、上記生体サンプルを評価することを示す。また、上記処理４０４は、上記少なくとも１つの病原体に対する、上記少なくとも１つの抗体の免疫反応性が存在するか否かを判定するために、ラボ・オン・チップ、分析試料（アッセイ、assay）、側方流動試験紙、比色試験紙、側方流動比色試験紙、経皮的試験デバイス、および、ランセットのうちの少なくとも１つを利用することを示す。
【００６３】
図５は、処理の一例を表す処理フロー５００を示す。図５は、図２に示される処理フロー２００の一例が少なくとも１つの追加的な処理を含む、一実施の形態を示す。当該追加的な処理は、処理５１０を含んでよい。
【００６４】
開始処理、処理２１０、処理２２０、および、処理２３０の後、処理フロー５００は処理５１０に移る。処理５１０は、上記生体サンプルに上記少なくとも１つの病原体が存在するか否かに関する情報を、電子メモリに格納することを示す。
【００６５】
図６は、処理の一例を表す処理フロー６００を示す。図６は、図２に示される処理フロー２００の一例が少なくとも１つの追加的な処理を含む、一実施の形態を示す。当該追加的な処理は、処理６１０を含んでよい。
【００６６】
開始処理、処理２１０、処理２２０、および、処理２３０の後、処理フロー６００は処理６１０に移る。処理６１０は、符号化フォーマット、英数字コード、画像、および、話し言葉フォーマットのうちの少なくとも１つを含む難読化を用いて、上記少なくとも１つの病原体が存在するか否かを、上記被験者に報告することを示す。
【００６７】
図７は、処理の一例を表す処理フロー７００を示す。図７は、図２に示される処理フロー２００の一例が少なくとも１つの追加的な処理を含む、一実施の形態を示す。当該追加的な処理は、処理７１０を含んでよい。
【００６８】
開始処理、処理２１０、処理２２０、および、処理２３０の後、処理フロー７００は処理７１０に移る。処理７１０は、上記評価の第１結果を上記現場から離れた場所の施設に自動的に送信することを示す。
【００６９】
図８は、処理の一例を表す処理フロー８００を示す。図８は、図２に示される処理フロー２００の一例が少なくとも１つの追加的な処理を含む、一実施の形態を示す。当該追加的な処理は、処理８１０および／または処理８１２を含んでよい。
【００７０】
開始処理、処理２１０、処理２２０、および、処理２３０の後、処理フロー８００は処理８１０に移る。処理８１０は、上記評価の第１結果を上記現場から離れた場所の施設に送信することを示す。
【００７１】
処理８１２は、有線接続、無線信号、デジタル信号、無線識別（ＲＦＩＤ）タグ信号、通信ネットワーク、および、無線タグ信号のうちの少なくとも１つを利用することによって、上記評価の第１結果を上記現場から離れた場所の施設に送信することを示す。
【００７２】
図９は、処理の一例を表す処理フロー９００を示す。図９は、図２に示される処理フロー２００の一例が少なくとも１つの追加的な処理を含む、一実施の形態を示す。当該追加的な処理は、処理９１０を含んでよい。
【００７３】
開始処理、処理２１０、処理２２０、および、処理２３０の後、処理フロー９００は処理９１０に移る。処理９１０は、上記評価の第１結果を上記現場から離れた場所の施設に送信するサポートを行うように構成されたソフトウェアを利用することを示す。
【００７４】
図１０は、処理の一例を表す処理フロー１０００を示す。図１０は、図２に示される処理フロー２００の一例が少なくとも１つの追加的な処理を含む、一実施の形態を示す。当該追加的な処理は、処理１０１０および／または処理１０１２を含んでよい。
【００７５】
開始処理、処理２１０、処理２２０、および、処理２３０の後、処理フロー１０００は処理１０１０に移る。処理１０１０は、援助の通知を被験者に伝達することを示す。
【００７６】
処理１０１２は、郵便配達、電子メール、英数字コード、印刷可能ドキュメント、通知書、電話呼び出し、および、個人間の接触のうちの少なくとも１つを介して、上記援助の通知を上記被験者に伝達することを示す。
【００７７】
図１１は、図８に示される処理フロー８００の一例に係る他の実施の形態を示す。図１１は、図８に示される処理フロー８００の一例が少なくとも１つの追加的な処理を含む、一実施の形態を示す。当該追加的な処理は、処理１１１０を含んでよい。
【００７８】
処理１１１０は、上記評価の第１結果を上記現場から離れた場所の施設に送信した後、援助の通知を被験者に伝達することを示す。
【００７９】
図１２は、一例としてのコンピュータプログラム製品１２００の一部分を示す図である。当該コンピュータプログラム製品（computer program product）１２００は、計算デバイスにおいてコンピュータ処理を実行するコンピュータプログラム１２０４を含む。当該コンピュータプログラム製品１２００の一実施例は、追記型信号保持媒体（a recordable-type signal bearing medium）１２０２を用いて実現される。ここで、当該追記型信号保持媒体１２０２は、被験者から取得された生体サンプルに、少なくとも１つの病原体が存在するか否かについて、医療施設から遠隔で上記生体サンプルを自動的に評価するように構成されたコンピュータ使用可能なコード（computer usable code）と、現場から離れた場所の施設に送信するために、当該評価の第１結果を電子的に格納するように構成されたコンピュータ使用可能なコードと、当該送信のために上記評価の第１結果が格納された後、当該評価の第２結果を上記被験者に報告するように構成されたコンピュータ使用可能なコードとを含んでいてもよい。上記コンピュータ使用可能なコードは、例えば、コンピュータ実行可能な命令群および／または論理合成された命令群であってよい。一実装例によれば、上記信号保持媒体１２０２は、コンピュータ読み取り可能な媒体（computer-readable medium）１２０６を含んでよい。一実装例によれば、当該信号保持媒体１２０２は、記録可能媒体（recordable medium）１２０８を含んでよい。一実装例によれば、上記信号保持媒体１２０２は、通信媒体（communications medium）１２１０を含んでよい。上記第２結果は、ディスプレイを介して、または、聴覚、視覚、もしくは他の触覚フィードバック型のコミュニケーションを介して、被験者に伝達され得ることに注意する。
【００８０】
前述した詳細な説明は、ブロック図、フローチャート、および／または、実施例を用いて、多様な実施形態に係るデバイスおよび／または処理を説明した。ブロック図、フローチャート、および／または、実施例が１つ又は複数の機能および／または処理を含む限りにおいて、上記ブロック図、フローチャート、および／または、実施例に含まれるそれぞれの機能および／または処理は、ハードウェア、ソフトウェア、ファームウェア、または、仮想的なこれら任意の組み合わせの広範囲によって、個々に又は集合的に実装されてよい。一実施の形態によれば、ここで説明した主題のうちのいくつかの部分は、特定用途向け集積回路（Application Specific Integrated Circuits；ＡＳＩＣ）、フィールドプログラマブルゲートアレイ（Field Programmable Gate Arrays；ＦＰＧＡ）、デジタルシグナルプロセッサ（digital signal processors；ＤＳＰ）、または、その他の組み込み形式によって実装され得る。ただし、ここに開示される実施の形態のいくつかの側面は、１つ又は複数のコンピュータにおいて実行される１つ又は複数のコンピュータプログラム（例えば、１つ又は複数のコンピュータシステムにおいて実行される１つ又は複数のプログラム）として、１つ又は複数のプロセッサにおいて実行される１つ又は複数のプログラム（例えば、１つ又は複数のマイクロプロセッサにおいて実行される１つ又は複数のプログラム）として、ファームウェアとして、または、これらの事実上の任意の組み合わせとして、全体または部分的に、集積回路に実装されたものと等価になり得る。そして、当該開示を考慮すれば、上記回路を設計すること、および／または、上記ソフトウェアおよび／またはファームウェアのコードを書くことは、当業者が有する通常の知識に含まれるものとなろう。また、ここで説明した主題の構造は、様々な形態のプログラム製品として配布可能であり、ここで説明した主題の実施の形態は、実際に頒布される信号保持媒体の特定の型にかかわらず適用される。一時的でない信号保持媒体の一例は、以下を含む（ただし、これらに限定されない）。すなわち、記録型媒体（例えば、フロッピー（登録商標）ディスク、ハードディスクドライブ、コンパクトディスク（ＣＤ）、デジタルビデオディスク（ＤＶＤ）、デジタルテープ、コンピュータメモリなど）、および、例えば、光ファイバケーブル、導波管、有線通信リンク、無線通信リンク（例えば、トランスミッタ、レシーバ、伝送論理、受信論理など）などのデジタルおよび／またはアナログ通信媒体としての送信型媒体などである。
【００８１】
全般的に、ハードウェア、ソフトウェア、ファームウェア、および／または、これらを任意の組み合わせた広範囲のものによって、ここで説明した上記多様な側面は、個々におよび／又は集合的に実装することができ、また「電気回路」の様々な型から成るものとして解釈可能である。したがって、ここで用いられているように、「電気回路」は、少なくとも１つの離散電子回路を備えた電気回路、少なくとも１つの集積回路を備えた電気回路、少なくとも１つの特定用途向け集積回路を備えた電気回路、コンピュータプログラムによって構成される汎用計算デバイスを形成する電気回路（該汎用計算デバイスは、例えば、ここで説明した処理および／またはデバイスを、少なくとも部分的に実行するコンピュータプログラムによって構成される汎用計算機、または、ここで説明した処理および／またはデバイスを、少なくとも部分的に実行するコンピュータプログラムによって構成されるマイクロプロセッサである）、メモリデバイス（例えば、ランダムアクセス、フラッシュ、リードオンリーなどの形態を持つメモリ）を形成する電気回路、および／または、通信デバイス（例えば、モデム、通信交換、光電気機器など）を形成する電子回路を含む（ただし、これらに限定されない）。ここで説明した主題は、アナログ形式もしくはデジタル形式、または、これらの組み合わせで実装され得る。
【００８２】
ここで説明されたデバイスおよび／または処理は、データ処理システムに統合可能である。データ処理システムは、ビデオディスプレイデバイス、メモリ（例えば、揮発性メモリまたは不揮発性メモリ）、プロセッサ（例えば、マイクロプロセッサまたはデジタル信号プロセッサ）、計算要素（computational entities、例えば、オペレーティングシステム、ドライバ、グラフィカルユーザインターフェース、および、アプリケーションプログラム）、１つ又は複数のインタラクションデバイス（例えば、タッチパッド、タッチスクリーン、アンテナなど）、および／または、フィードバックループおよび制御モータを含む制御システム（例えば、検知位置および／または検知速度のフィードバック、構成要素および／または数量を移動および／または調整する制御モータ）を収納する１つ又は複数のシステムユニットを一般的に含む。データ処理システムは、適切かつ商業的に利用可能なコンポーネント（例えば、データ計算／通信および／またはネットワーク計算／通信システムにおいて一般的にみられるもの）を用いて実装できる。
【００８３】
ここで説明されたコンポーネント（例えば、処理）、デバイス、目的、および、これらに伴う議論は、概念を明確にするための一例として用いられるものであり、多様な構成の変形例が予想される。したがって、ここで用いられたように、前述した特定の例およびこれに伴う議論は、それらのより一般的な部類の代表例となるべきものである。一般的に、特定の例を用いることは、その部類の代表例を示すことを意図するものであり、特定のコンポーネント（例えば、処理）、デバイス、および、目的が含まれていないことによって、限定されるべきものではない。
【００８４】
ここで、複数形および／または単数形を実際に用いることに関して、読み手は、文脈および／または応用に応じて、適宜、当該複数形を単数形に読み替えることができるし、当該単数形を複数形に読み替えることもできる。すなわち、任意の単数／複数の置換について明確に説明しなかったのは、明確性を担保するためである。
【００８５】
ここで説明された主題は、異なる他のコンポーネントを含む、または関連のある異なるコンポーネントを示す場合がある。そのように表された構造は例示に過ぎず、多くの他の構造によって同じ機能を実現可能なものが、実際に実装可能と理解される。概念的には、同一の機能を実現する、コンポーネントの任意の構成は、望ましい機能が実現されるよう効果的に「関連付けられる」（associated）。したがって、特定の機能を実現するために組み込まれた２つのコンポーネントは互いに「関連付けられている」と解釈可能であり、これにより構造または介在コンポーネントにかかわらず、望ましい機能が実現される。同様に、そのように関連する任意の２つのコンポーネントは、望ましい機能を実現するために、互いに「操作可能に接続されたもの」または「操作可能に対応付けられたもの」と解釈可能である。そして、そのように関連付けられる任意の２つのコンポーネントも、望ましい機能を実現するために、互いに「操作可能に対応付けできるもの」と解釈可能である。操作可能に対応付けできる特定の例は、物理的に一致するもの、および／または、物理的に相互作用するコンポーネント、および／または、無線で相互作用可能、および／または、無線で相互作用するコンポーネント、および／または、論理的な相互作用、および／または、論理的に相互作用可能なコンポーネントを含む（ただし、これらに限定されない）。
【００８６】
いくつかの例によれば、１つ又は複数のコンポーネントは、「〜ように構成された」、「〜によって構成される」、「〜ように構成可能な」、「〜ように操作可能な／作動する」、「適用された／適用可能な」、「〜可能な」、「〜ように適合可能な／適合する」などのように参照される。これらの用語（例えば、「〜ように構成された」）は、文脈が他を意味する場合を除いて、活動状態（active-state）にあるコンポーネント、および／または、非活動状態（inactive-state）にあるコンポーネント、および／または、待機状態（standby-state）にあるコンポーネントを広く包含するものである。
【００８７】
ここでは主題の特定の側面を示し、説明してきたが、説明された上記主題から離れることなく変形および修正が可能であるため、より幅広い側面および添付の請求項は、その範囲の中に、そうしたすべての変形および修正を包含するものであり、ここで説明された主題の真の精神および範囲に存在するものである。一般的に、ここで用いられる用語、特に添付の請求項（例えば、当該添付の請求項の本体部）において用いられる用語は、「開かれた（open）」用語として通常用いられている（例えば、「〜を含む」（including）という用語は「〜を含む、しかし、これに限定されない」（including but not limited to）と解釈されるべきものであり、「〜を有する」（having）という用語は「〜を少なくとも有する」（having at least）と解釈されるべきものであり、「〜を含む」（includes）という用語は「〜を含む、しかし、これに限定されない」（includes but not limited to）と解釈されるべきものである、など）。記載された請求項の文言に含まれる特定の数が意図されている場合、当該意図は当該請求項に記載されており、当該文言が含まれていない場合、当該意図は存在しない。例えば、理解の助けとなるように、以下に添付された請求項には、「少なくとも１つの」および「１つ又は複数の」という導入的なフレーズが、当該請求項の文言に含まれる。しかし、同じ請求項に「１つ又は複数の」または「少なくとも１つの」という上記導入的なフレーズが含まれている場合であっても、不定冠詞「a」または「an」によって請求項の文言が記載されることにより、当該文言を含む特定の請求項を、唯一の文言を含む請求項に限定するということが、上記導入的なフレーズを用いることによって示唆されると理解すべきでなく、「a」または「an」といった不定冠詞（例えば、「a」および／または「an」）は、「少なくとも１つの」または「１つ又は複数の」を意味すると一般的に解釈されるべきである。すなわち、請求項の文言を記載するために、定冠詞を使用することと同じことが成り立つ。また、請求項の文言に特定の数が明確に記載されている場合、上記文言は、少なくとも当該文言に係る数を意味すると通常解釈されるべきことを、当業者は認識するだろう（例えば、「２つの〜」とだけ記載されており、他の修飾がない場合、「少なくとも２つの〜」（at least two recitations）または「２つ又はそれ以上の〜」（two or more recitations）を通常意味する）。さらに、「Ａ、Ｂ、および、Ｃなどのうちの少なくとも１つ」に類似する伝統的表現法（convention analogous）が用いられる例においては、当該分野の知識を有する者が上記伝統的表現法を理解するという意味で、一般的に、こうした構文は意図される（例えば、「Ａ、Ｂ、および、Ｃのうちの少なくとも１つを有するシステム」は、Ａのみ、Ｂのみ、Ｃのみ、ＡおよびＢ、ＡおよびＣ、ＢおよびＣ、および／または、Ａ、Ｂ、および、Ｃなどを有するシステムを含むが、これらに限定されない）。「Ａ、Ｂ、または、Ｃなどのうちの少なくとも１つ」に類似する伝統的表現法が用いられる例においては、当該分野の知識を有する者が上記伝統的表現法を理解するという意味で、一般的に、こうした構文は意図される（例えば、「Ａ、Ｂ、または、Ｃのうちの少なくとも１つを有するシステム」は、���のみ、Ｂのみ、Ｃのみ、ＡおよびＢ、ＡおよびＣ、ＢおよびＣ、および／または、Ａ、Ｂ、および、Ｃなどを有するシステムを含むが、これらに限定されない）。通常、２つ又はそれ以上の代替用語を示す選言的な（disjunctive）用語および／またはフレーズは、明細書、請求項、または、図面のいずれに含まれていようと、文脈が他を指定しない限り、当該用語、当該用語のいずれか一方、または、当該用語の両方のうちの１つを含む可能性があると解釈されるべきである。例えば、「ＡまたはＢ」というフレーズは、「Ａ」または「Ｂ」または「ＡおよびＢ」の可能性を含むと、通常理解される。
【００８８】
添付の請求項に関して、ここに記載された処理は、任意の順序で一般的に実行され得ると、当業者は理解するだろう。同様に、様々な処理フローが所定の順序で示されたが、様々な処理が、示された以外の他の順序で、または一斉に実行可能であると理解されるべきである。そうした代替順序の一例は、文脈が他を指定しない限り、重複して（overlapping）、交互的に（interleaved）、割り込んで（interrupted）、再度順序づけされて（reordered）、逐次的に（incremental）、先立って（preparatory）、追加的に（supplemental）、同時に（simultaneous）、逆の順序で（reverse）、または、他の様々な順序で、行うことを含む。また、「〜に応答して」（responsive to）、「〜に関連して」（related to）などの用語、または、過去形の形容詞は、文脈が他を指定しない限り、そうした変形を排除することを意図しないことが通常である。
【００８９】
多様な側面および実施の形態がここに開示されたが、他の側面および他の実施の形態は、当業者に明らかである。ここに開示された上記多様な側面および実施の形態は、説明を目的とするものであり、限定を意図するものではなく、以下の請求項によって示唆される真の範囲および精神を伴うものである。
【図面の簡単な説明】
【００９０】
【図１】概略図である。
【図２】処理の一例を示す処理フローを示す。
【図３】図２に示される処理フローに係る他の一実施の形態を示す。
【図４】図２に示される処理フローに係る他の一実施の形態を示す。
【図５】処理の一例を示す処理フローである。
【図６】処理の一例を示す処理フローである。
【図７】処理の一例を示す処理フローである。
【図８】処理の一例を示す処理フローである。
【図９】処理の一例を示す処理フローである。
【図１０】処理の一例を示す処理フローである。
【図１１】図８に示される処理フローに係る他の一実施の形態を示す。
【図１２】送信するためにサンプルを評価した結果を格納した後、当該結果を報告することに関係するコンピュータプログラム製品を示す。
【図１】
2014513308.tif 000003
【図２】
2014513308.tif 000004
【図３】
2014513308.tif 000005
【図４】
2014513308.tif 000006
【図５】
2014513308.tif 000007
【図６】
2014513308.tif 000008
【図７】
2014513308.tif 000009
【図８】
2014513308.tif 000010
【図９】
2014513308.tif 000011
【図１０】
2014513308.tif 000012
【図１１】
2014513308.tif 000013
【図１２】
2014513308.tif 000014
【国際調査報告】
2014513308.tif 000015